(57)【要約】【課題】無駄な電力を消費することなく停電時の情報通知等に寄与することができる非常用電源装置及び非常用電源システム等を提供する。【解決手段】商用電源の停電時において電気機器に電力を供給する非常用電源装置１００は、商用電源からの電力を充電する蓄電池２０と、商用電源の通電又は停電を判定する停電判定部４０と、停電判定部４０により停電と判定されたとき、蓄電池２０の出力から交流電力を生成する電源生成部３０と、停電判定部４０により停電と判定されたときのみ上記の交流電力を出力する停電時出力端子ＯＵＴ２とを含む。【選択図】図１
0003170373.tif 000002
【実用新案登録請求の範囲】
【請求項１】
商用電源の停電時において電気機器に電力を供給する非常用電源装置であって、
前記商用電源からの電力を充電する蓄電池と、
前記商用電源の通電又は停電を判定する停電判定部と、
前記停電判定部により停電と判定されたとき、前記蓄電池の出力から出力電力を生成する電源生成部と、
前記停電判定部により停電と判定されたときのみ前記出力電力を出力する停電時出力端子とを含むことを特徴とする非常用電源装置。
【請求項２】
請求項１において、
前記停電判定部により通電と判定されたとき非点灯状態となり、前記停電判定部により停電と判定されたとき点灯状態となる停電時照明部を含むことを特徴とする非常用電源装置。
【請求項３】
請求項２において、
前記停電時照明部は、
前記蓄電池に充電された電力を用いて点灯状態となることを特徴とする非常用電源装置。
【請求項４】
請求項１乃至３のいずれかにおいて、
前記出力電力の出力又は停止を切り替える出力スイッチ回路を含むことを特徴とする非常用電源装置。
【請求項５】
請求項１乃至４のいずれかに記載の非常用電源装置と、
前記停電時出力端子に接続される通知装置とを含み、
前記通知装置は、
前記停電時出力端子を介して前記出力電力が供給されることを特徴とする非常用電源システム。
【考案の詳細な説明】
【技術分野】
【０００１】
本考案は、商用電源の停電時において非常用として電力を補助する非常用電源装置及びこれを用いた非常用電源システムに関する。
【背景技術】
【０００２】
従来より、商用電源から電力が供給される電気機器を使用する環境において、商用電源の突然の停電に対応するため、無停電電源装置（Uninterruptible Power Supply：以下、ＵＰＳ）やバックアップ電源装置等の非常用電源装置が用いられる。この場合、商用電源の停電時において、非常用電源装置が、電気機器に対して電力を供給する。
【０００３】
ところが、ＵＰＳ等は、停電時に自動で電力を電気機器に供給することができるものの、従来から、夜間に停電が発生したときには、照明装置を点灯させるものがなかった。そこで、例えば特許文献１には、ＵＰＳを使用して非常発生時に補助継電器の作動により常用照明器を非常用として点灯させる技術が開示されている。
【先行技術文献】
【特許文献】
【０００４】
【特許文献１】特開２００８−２７１７６６号公報
【考案の概要】
【考案が解決しようとする課題】
【０００５】
しかしながら、特許文献１に開示された技術では、常用照明器を停電時にも非常用として点灯させているに過ぎないため、商用電源の停電時以外の通電時においても給電されることになる。従って、常用照明器に代えて、例えば停電時の情報通知等を行うような停電時にのみ動作させたい機器を用いたとしても、当該機器に対して常時給電されてしまい、無駄な電力を消費してしまうという問題がある。
【０００６】
本考案は、以上のような技術的課題に鑑みてなされたものである。本考案の幾つかの態様によれば、無駄な電力を消費することなく停電時の情報通知等に寄与することができる非常用電源装置及び非常用電源システム等を提供することができる。
【課題を解決するための手段】
【０００７】
（１）本考案の第１の態様は、商用電源の停電時において電気機器に電力を供給する非常用電源装置が、前記商用電源からの電力を充電する蓄電池と、前記商用電源の通電又は停電を判定する停電判定部と、前記停電判定部により停電と判定されたとき、前記蓄電池の出力から出力電力を生成する電源生成部と、前記停電判定部により停電と判定されたときのみ前記出力電力を出力する停電時出力端子とを含む。
【０００８】
本態様においては、停電時出力端子を介して、停電時にのみ交流電力を外部に供給することができるようにしている。これにより、例えば停電時出力端子に、停電時の情報通知等を行う通知装置を接続することにより、無駄な電力を消費することなく、停電時の情報通知等を行うことができる。従って、無駄な電力を消費することなく停電時の情報通知等に寄与する非常用電源装置を提供することができるようになる。
【０００９】
（２）本考案の第２の態様に係る非常用電源装置は、第１の態様において、前記停電判定部により通電と判定されたとき非点灯状態となり、前記停電判定部により停電と判定されたとき点灯状態となる停電時照明部を含む。
【００１０】
本態様によれば、停電時照明部を備え、商用電源の通電時には非点灯状態となり、商用電源の停電時には点灯状態となるようにしたので、上記の効果に加えて、夜間等に停電が発生しても突然の暗闇を解消することができるようになる。
【００１１】
（３）本考案の第３の態様に係る非常用電源装置では、第２の態様において、前記停電時照明部は、前記蓄電池に充電された電力を用いて点灯状態となる。
【００１２】
本態様によれば、商用電源の停電時にも蓄電池に充電された電力を用いて点灯状態となる停電時照明部を設けることにより、夜間等に停電が発生しても突然の暗闇を解消することができるようになる。
【００１３】
（４）本考案の第４の態様に係る非常用電源装置は、第１の態様乃至第３の態様のいずれかにおいて、前記出力電力の出力又は停止を切り替える出力スイッチ回路を含む。
【００１４】
本態様によれば、出力スイッチ回路を設け、出力スイッチ回路により停電時出力端子から出力電力の出力又は停止を切り替えるようにしたので、停電時出力端子における機器の接続状態に応じた使用が可能な非常用電源装置を提供することができるようになる。
【００１５】
（５）本考案の第５の態様は、非常用電源システムが、上記のいずれか記載の非常用電源装置と、前記停電時出力端子に接続される通知装置とを含み、前記通知装置は、前記停電時出力端子を介して前記出力電力が供給される。
【００１６】
本態様によれば、商用電源の通電時においては、商用電源の電力が電気機器に供給され、商用電源の停電時においてのみ停電時出力端子から、停電時の情報通知等を行う通知装置に電力が供給される。これにより、無駄な電力を消費することなく停電時の情報通知等に寄与する非常用電源システムを提供することができるようになる。
【図面の簡単な説明】
【００１７】
【図１】第１の実施形態における非常用電源装置の構成例のブロック図。
【図２】第２の実施形態における非常用電源装置の構成例のブロック図。
【図３】第３の実施形態における非常用電源装置の構成例のブロック図。
【図４】第４の実施形態における非常用電源装置の構成例のブロック図。
【図５】第１の実施形態における非常用電源装置を用いた非常用電源システムの構成例のブロック図。
【考案を実施するための形態】
【００１８】
以下、本考案の実施の形態について図面を用いて詳細に説明する。なお、以下に説明する実施の形態は、実用新案登録請求の範囲に記載された本考案の内容を不当に限定するものではない。また以下で説明される構成のすべてが本考案の課題を解決するために必須の構成要件であるとは限らない。
【００１９】
１．  非常用電源装置
１．１  第１の実施形態
図１に、本考案の第１の実施形態における非常用電源装置の構成例のブロック図を示す。
【００２０】
非常用電源装置１００は、入力端子ＩＮ、出力端子ＯＵＴ１、及び停電時出力端子ＯＵＴ２を備えている。非常用電源装置１００には、入力端子ＩＮを介して商用電源から電力が供給される。出力端子ＯＵＴ１には、電気機器が接続され、該電気機器は、通電時及び停電時に出力端子ＯＵＴ１を介して電力が供給される。停電時出力端子ＯＵＴ２には、停電時の情報通知等を行う通知装置が接続され、該通知装置は、停電時にのみ停電時出力端子ＯＵＴ２を介して出力電力が供給される。
【００２１】
このような非常用電源装置１００は、充電回路１０と、蓄電池２０と、電源生成部３０と、停電判定部４０と、停電時切替回路５０とを備えている。
【００２２】
充電回路１０は、入力端子ＩＮを介して供給される商用電源の電力を蓄電池２０に充電する制御を行う。蓄電池２０は、充電回路１０による充電制御によって商用電源の電力を充電する。
【００２３】
電源生成部３０は、商用電源の停電時に公知のＤＣ／ＡＣ変換により蓄電池２０の出力から交流電力を出力電力として生成する。電源生成部３０の出力は、停電時切替回路５０及び停電時出力端子ＯＵＴ２に供給される。
【００２４】
停電判定部４０は、入力端子ＩＮを介して供給される商用電源の通電又は停電を判定する。また、停電判定部４０は、商用電源の停電を判定すると、電源生成部３０を起動させる。そして、停電判定部４０により商用電源の停電が判定されたとき、電源生成部３０は、上記の交流電力を生成する。停電判定部４０により商用電源の通電が判定されたとき、電源生成部３０は、その機能を停止し、直流電圧が０Ｖを出力する。
【００２５】
停電時切替回路５０は、商用電源が通電しているとき、入力端子ＩＮを介して供給される商用電源の電力を、出力端子ＯＵＴ１を介して外部に供給する。また、停電時切替回路５０は、商用電源が停電しているとき、電源生成部３０によって生成された交流電力を、出力端子ＯＵＴ１を介して外部に供給する。
【００２６】
停電時出力端子ＯＵＴ２からは、商用電源の停電時において電源生成部３０によって生成された交流電力が出力電力として外部に供給される。
【００２７】
このような第１の実施形態における非常用電源装置１００では、商用電源の通電時においては、停電時切替回路５０により商用電源の電力が出力電力として、出力端子ＯＵＴ１を介して外部に供給される。このとき、蓄電池２０には、商用電源の電力が充電される。また、停電時出力端子ＯＵＴ２からは、直流電圧０Ｖが出力され、停電時出力端子ＯＵＴ２に接続される機器に対して実質的に給電されない。
【００２８】
そして、停電判定部４０により商用電源の停電が判定されると、電源生成部３０が起動され、蓄電池２０に充電された電力から交流電力が生成される。この交流電力は、停電時切替回路５０により出力端子ＯＵＴ１を介して外部に供給されると共に、停電時出力端子ＯＵＴ２を介して外部に供給される。
【００２９】
以上説明したように、第１の実施形態によれば、停電時出力端子ＯＵＴ２を介して、停電時にのみ交流電力を外部に供給することができるようになる。これにより、例えば停電時出力端子ＯＵＴ２に、停電時の情報通知等を行う通知装置を接続することにより、無駄な電力を消費することなく、停電時の情報通知等を行うことができる。従って、無駄な電力を消費することなく停電時の情報通知等に寄与する非常用電源装置を提供することができるようになる。
【００３０】
また、出力端子ＯＵＴ１から常時給電することができるので、停電時においても出力端子ＯＵＴ１に接続される電気機器を継続して動作させることができるようになる。
【００３１】
このような非常用電源装置１００は、ＵＰＳやバックアップ電源装置として提供することができる。
【００３２】
１．２  第２の実施形態
図２に、本考案の第２の実施形態における非常用電源装置の構成例のブロック図を示す。図２において、図１と同様の部分には同一符号を付している。
【００３３】
非常用電源装置１００ａは、非常用電源装置１００と同様に、入力端子ＩＮ、出力端子ＯＵＴ１、及び停電時出力端子ＯＵＴ２を備えている。このような非常用電源装置１００ａは、充電回路１０と、蓄電池２０と、電源生成部３０と、停電判定部４０ａと、停電時切替回路５０と、停電時照明部６０とを備えている。
【００３４】
充電回路１０は、入力端子ＩＮを介して供給される商用電源の電力を蓄電池２０に充電する制御を行う。蓄電池２０は、充電回路１０による充電制御によって商用電源の電力を充電する。
【００３５】
電源生成部３０は、商用電源の停電時に公知のＤＣ／ＡＣ変換により蓄電池２０の出力から交流電力を出力電力として生成する。電源生成部３０の出力は、停電時切替回路５０及び停電時出力端子ＯＵＴ２に供給される。
【００３６】
停電判定部４０ａは、入力端子ＩＮを介して供給される商用電源の通電又は停電を判定する。また、停電判定部４０ａは、商用電源の停電を判定すると、電源生成部３０を起動させる。そして、停電判定部４０ａにより商用電源の停電が判定されたとき、電源生成部３０は、上記の交流電力を生成する。停電判定部４０ａにより商用電源の通電が判定されたとき、電源生成部３０は、その機能を停止し、直流電圧が０Ｖを出力する。また、停電判定部４０ａの判定結果は、停電時照明部６０にも通知される。
【００３７】
停電時切替回路５０は、商用電源が通電しているとき、入力端子ＩＮを介して供給される商用電源の電力を、出力端子ＯＵＴ１を介して外部に供給する。また、停電時切替回路５０は、商用電源が停電しているとき、電源生成部３０によって生成された交流電力を、出力端子ＯＵＴ１を介して外部に供給する。
【００３８】
停電時出力端子ＯＵＴ２からは、商用電源の停電時において電源生成部３０によって生成された交流電力が出力電力として外部に供給される。
【００３９】
停電時照明部６０は、停電判定部４０ａにより商用電源の停電と判定されたとき、蓄電池２０に充電された電力を用いて点灯状態となる。また、停電時照明部６０は、停電判定部４０ａにより商用電源の通電が判定されたとき、非点灯状態となる。
【００４０】
このような第２の実施形態における非常用電源装置１００ａでは、第１の実施形態と同様に、商用電源の通電時においては、停電時切替回路５０により商用電源の電力が出力電力として、出力端子ＯＵＴ１を介して外部に供給される。このとき、蓄電池２０には、商用電源の電力が充電され、停電時照明部６０は、非点灯状態となる。また、停電時出力端子ＯＵＴ２からは、直流電圧０Ｖが出力される。
【００４１】
そして、停電判定部４０ａにより商用電源の停電が判定されると、電源生成部３０が起動され、蓄電池２０に充電された電力から交流電力が生成される。この交流電力は、停電時切替回路５０により出力端子ＯＵＴ１を介して外部に供給されると共に、停電時出力端子ＯＵＴ２を介して外部に供給される。このとき、停電時照明部６０は、蓄電池２０に充電された電力によって点灯状態となる。
【００４２】
以上説明したように、第２の実施形態によれば、第１の実施形態と同様に、停電時出力端子ＯＵＴ２を介して、停電時にのみ出力電力を外部に供給することができるようになる。これにより、例えば停電時出力端子ＯＵＴ２に、停電時の情報通知等を行う通知装置を接続することにより、無駄な電力を消費することなく、停電時の情報通知等を行うことができる。また、出力端子ＯＵＴ１から常時給電することができるので、停電時においても出力端子ＯＵＴ１に接続される電気機器を継続して動作させることができるようになる。
【００４３】
また、第２の実施形態によれば、停電時照明部６０を備え、商用電源の通電時には非点灯状態となり、商用電源の停電時には点灯状態となるようにしたので、夜間等に停電が発生しても突然の暗闇を解消することができるようになる。
【００４４】
１．３  第３の実施形態
図３に、本考案の第３の実施形態における非常用電源装置の構成例のブロック図を示す。図３において、図２と同様の部分には同一符号を付している。
【００４５】
非常用電源装置１００ｂは、非常用電源装置１００ａと同様に、入力端子ＩＮ、出力端子ＯＵＴ１、及び停電時出力端子ＯＵＴ２を備えている。このような非常用電源装置１００ｂは、充電回路１０と、蓄電池２０と、電源生成部３０と、停電判定部４０ａと、停電時切替回路５０と、停電時照明部６０と、出力スイッチ回路７０とを備えている。
【００４６】
充電回路１０は、入力端子ＩＮを介して供給される商用電源の電力を蓄電池２０に充電する制御を行う。蓄電池２０は、充電回路１０による充電制御によって商用電源の電力を充電する。
【００４７】
電源生成部３０は、商用電源の停電時にＤＣ／ＡＣ変換により蓄電池２０の出力から交流電力を出力電力として生成する。電源生成部３０の出力は、停電時切替回路５０及び出力スイッチ回路７０に供給される。
【００４８】
停電判定部４０ａは、入力端子ＩＮを介して供給される商用電源の通電又は停電を判定する。また、停電判定部４０ａは、商用電源の停電を判定すると、電源生成部３０を起動させる。そして、停電判定部４０ａにより商用電源の停電が判定されたとき、電源生成部３０は、上記の交流電力を生成する。停電判定部４０ａにより商用電源の通電が判定されたとき、電源生成部３０は、その機能を停止し、直流電圧が０Ｖを出力する。また、停電判定部４０ａの判定結果は、停電時照明部６０にも通知される。
【００４９】
停電時切替回路５０は、商用電源が通電しているとき、入力端子ＩＮを介して供給される商用電源の電力を、出力端子ＯＵＴ１を介して外部に供給する。また、停電時切替回路５０は、商用電源が停電しているとき、電源生成部３０によって生成された交流電力を、出力端子ＯＵＴ１を介して外部に供給する。
【００５０】
停電時出力端子ＯＵＴ２からは、出力スイッチ回路７０の出力が外部に供給される。
【００５１】
停電時照明部６０は、停電判定部４０ａにより商用電源の停電と判定されたとき、蓄電池２０に充電された電力を用いて点灯状態となる。また、停電時照明部６０は、停電判定部４０ａにより商用電源の通電が判定されたとき、非点灯状態となる。
【００５２】
出力スイッチ回路７０は、電源生成部３０と停電時出力端子ＯＵＴ２との間に挿入されるように設けられる。出力スイッチ回路７０は、電源生成部３０によって生成された交流電力（出力電力）の出力又は停止を切り替える。このような出力スイッチ回路７０は、ユーザーのスイッチ操作の操作内容に従って、交流電力の出力又は停止を切り替えることができる。
【００５３】
第３の実施形態における非常用電源装置１００ｂでは、第２の実施形態と同様に、商用電源の通電時においては、停電時切替回路５０により商用電源の電力が出力電力として、出力端子ＯＵＴ１を介して外部に供給される。このとき、蓄電池２０には、商用電源の電力が充電され、停電時照明部６０は、非点灯状態となる。また、停電時出力端子ＯＵＴ２からは、ユーザーのスイッチ操作の操作内容にかかわらず直流電圧０Ｖが出力される。
【００５４】
そして、停電判定部４０ａにより商用電源の停電が判定されると、電源生成部３０が起動され、蓄電池２０に充電された電力から交流電力が生成される。出力スイッチ回路７０により出力するように切り替えられている場合、この交流電力は、停電時切替回路５０により出力端子ＯＵＴ１を介して外部に供給されると共に、停電時出力端子ＯＵＴ２を介して外部に供給される。一方、出力スイッチ回路７０により出力を停止するように切り替えられている場合、この交流電力は、停電時切替回路５０により出力端子ＯＵＴ１を介して外部に供給されるが、停電時出力端子ＯＵＴ２からは直流電圧０Ｖが出力される。また、このとき、停電時照明部６０は、蓄電池２０に充電された電力によって点灯状態となる。
【００５５】
以上説明したように、第３の実施形態によれば、第２の実施形態と同様に、停電時出力端子ＯＵＴ２を介して、停電時にのみ出力電力を外部に供給することができるようになる。これにより、例えば停電時出力端子ＯＵＴ２に、停電時の情報通知等を行う通知装置を接続することにより、無駄な電力を消費することなく、停電時の情報通知等を行うことができる。
【００５６】
また、第３の実施形態によれば、停電時照明部６０を備え、商用電源の通電時には非点灯状態となり、商用電源の停電時には点灯状態となるようにしたので、夜間等に停電が発生しても突然の暗闇を解消することができるようになる。
【００５７】
更に、第３の実施形態においては、出力スイッチ回路７０を備え、出力スイッチ回路７０により停電時出力端子ＯＵＴ２から交流電力の出力又は停止を切り替える。これにより、第３の実施形態によれば、停電時出力端子ＯＵＴ２における機器の接続状態に応じた使用が可能な非常用電源装置を提供することができるようになる。
【００５８】
１．４  第４の実施形態
図４に、本考案の第４の実施形態における非常用電源装置の構成例のブロック図を示す。図４において、図２と同様の部分には同一符号を付している。
【００５９】
非常用電源装置１００ｃは、非常用電源装置１００ａと同様に、入力端子ＩＮ、出力端子ＯＵＴ１、及び停電時出力端子ＯＵＴ２を備えている。このような非常用電源装置１００ｃは、充電回路１０と、蓄電池２０と、電源生成部３０ｃと、停電判定部４０ａと、停電時切替回路５０と、停電時照明部６０とを備えている。
【００６０】
充電回路１０は、入力端子ＩＮを介して供給される商用電源の電力を蓄電池２０に充電する制御を行う。蓄電池２０は、充電回路１０による充電制御によって商用電源の電力を充電する。蓄電池２０に充電された電力は、電源生成部３０ｃ、停電時照明部６０に供給される。
【００６１】
電源生成部３０ｃは、商用電源の停電時において、ＤＣ／ＡＣ変換により蓄電池２０の出力から交流電力を出力電力として生成すると共に、蓄電池２０の出力を直流電力として停電時出力端子ＯＵＴ２に供給する。電源生成部３０によって生成された交流電力は、停電時切替回路５０に供給される。
【００６２】
停電判定部４０ａは、入力端子ＩＮを介して供給される商用電源の通電又は停電を判定する。また、停電判定部４０ａは、商用電源の停電を判定すると、電源生成部３０を起動させる。そして、停電判定部４０ａにより商用電源の停電が判定されたとき、電源生成部３０は、上記の交流電力を生成する。停電判定部４０ａにより商用電源の通電が判定されたとき、電源生成部３０ｃは、その機能を停止し、停電時切替回路５０及び停電時出力端子ＯＵＴ２に直流電圧０Ｖを出力する。また、停電判定部４０ａの判定結果は、停電時照明部６０にも通知される。
【００６３】
停電時切替回路５０は、商用電源が通電しているとき、入力端子ＩＮを介して供給される商用電源の電力を、出力端子ＯＵＴ１を介して外部に供給する。また、停電時切替回路５０は、商用電源が停電しているとき、電源生成部３０によって生成された交流電力を、出力端子ＯＵＴ１を介して外部に供給する。
【００６４】
停電時出力端子ＯＵＴ２からは、蓄電池２０に充電された電力が、直流電力として外部に供給される。
【００６５】
停電時照明部６０は、停電判定部４０ａにより商用電源の停電と判定されたとき、蓄電池２０に充電された電力を用いて点灯状態となる。また、停電時照明部６０は、停電判定部４０ａにより商用電源の通電が判定されたとき、非点灯状態となる。
【００６６】
第４の実施形態における非常用電源装置１００ｃでは、第２の実施形態と同様に、商用電源の通電時においては、停電時切替回路５０により商用電源の電力が出力電力として、出力端子ＯＵＴ１を介して外部に供給される。このとき、蓄電池２０には、商用電源の電力が充電され、停電時照明部６０は、非点灯状態となる。また、停電時出力端子ＯＵＴ２からは、直流電圧０Ｖが出力される。
【００６７】
そして、停電判定部４０ａにより商用電源の停電が判定されると、電源生成部３０ｃが起動され、蓄電池２０に充電された電力から交流電力が生成される。この交流電力は、停電時切替回路５０により出力端子ＯＵＴ１を介して外部に供給される。また、電源生成部３０ｃは、蓄電池２０に充電された電力を直流電力として、停電時出力端子ＯＵＴ２を介して外部に出力する。このとき、停電時照明部６０は、蓄電池２０に充電された電力によって点灯状態となる。
【００６８】
以上説明したように、第４の実施形態によれば、第２の実施形態と同様に、停電時出力端子ＯＵＴ２を介して、停電時にのみ直流電力を出力電力として外部に供給することができるようになる。
【００６９】
また、第４の実施形態によれば、停電時照明部６０を備え、商用電源の通電時には非点灯状態となり、商用電源の停電時には点灯状態となるようにしたので、夜間等に停電が発生しても突然の暗闇を解消することができるようになる。
【００７０】
２．  非常用電源システム
図５に、本考案に係る非常用電源システムの構成例のブロック図を示す。図５では、非常用電源システムに採用される非常用電源装置として、第１の実施形態における非常用電源装置を例に示している。しかしながら、図５における非常用電源システムに採用される非常用電源装置は、上記の第２の実施形態乃至第４の実施形態のいずれかにおける非常用電源装置であってもよい。
【００７１】
非常用電源システム２００は、非常用電源装置１００と、電気機器１１０と、通知装置１２０とを備えている。電気機器１１０は、出力端子ＯＵＴ１を介して非常用電源装置１００から電力が供給される。このような電気機器１１０としては、電気スタンド（蛍光灯、ＬＥＤ）、テレビ装置、電話装置、扇風機、冷蔵庫、電気毛布、パーソナルコンピューター、防犯システム等がある。通知装置１２０は、停電時出力端子ＯＵＴ２を介して非常用電源装置１００から電力が供給される。このような通知装置１２０としては、停電時の情報を出力する表示装置、表示灯、回転灯等がある。
【００７２】
非常用電源システム２００では、商用電源の通電時には、電気機器１１０に商用電源からの電力が供給され、通知装置１２０には電力が供給されない。一方、商用電源の停電時には、非常用電源装置１００に蓄電池から電力が継続して供給されると共に、通知装置１２０にも電力が供給される。
【００７３】
これにより、停電時の情報通知等を行う通知装置１２０の起動を簡素化することができる。このとき、通信等により起動するのではなく電力供給により起動することができるため、通知装置１２０における待機時の電力を不要にすることができる。また、非常用電源装置１００は、停電時の情報通知を通知装置１２０に対して行うための機能を削減することができるので、低コスト化を図ることができるようになる。
【００７４】
以上、本考案に係る非常用電源装置及び非常用電源システム等を上記のいずれかの実施形態に基づいて説明したが、本考案は上記のいずれかの実施形態に限定されるものではない。例えば、その要旨を逸脱しない範囲において種々の態様において実施することが可能である。
【符号の説明】
【００７５】
１０…充電回路、  ２０…蓄電池、  ３０，３０ｃ…電源生成部、
４０，４０ａ…停電判定部、  ５０…停電時切替回路、  ６０…停電時照明部、
７０…出力スイッチ回路、  １００，１００ａ，１００ｂ…非常用電源装置、
２００…非常用電源システム、  １１０…電気機器、  １２０…通知装置、
ＩＮ…入力端子、  ＯＵＴ１…出力端子、  ＯＵＴ２…停電時出力端子
【図１】
0003170373.tif 000003
【図２】
0003170373.tif 000004
【図３】
0003170373.tif 000005
【図４】
0003170373.tif 000006
【図５】
0003170373.tif 000007